(57)【要約】  キャリアセットから同期信号を送信するための１つまたは複数のキャリアを選択するように構成された選択ユニットと、前記選択された１つまたは複数のキャリアを介して前記同期信号を搬送するように構成された送信ユニットとを備える、ユーザ機器。
2021504997.tif 000002
【特許請求の範囲】
【請求項１】
キャリアセットから同期信号を送信するための１つまたは複数のキャリアを選択するように構成された選択ユニットと、
前記同期信号を、前記選択された１つまたは複数のキャリアを介して搬送するように構成された送信ユニットと、
を備えるユーザ機器。
【請求項２】
前記同期信号は、サイドリンク同期信号（ＳＬＳＳ：Sidelink Synchronization Signal）である、請求項１に記載のユーザ機器。
【請求項３】
前記選択ユニットは、前記ユーザ機器の能力に応じて、前記同期信号を送信するために前記キャリアセットから前記１つまたは複数のキャリアを選択する、請求項１または２に記載のユーザ機器。
【請求項４】
前記選択ユニットは、各キャリアの優先度に基づいて、前記キャリアセットから前記同期信号を送信するための前記１つまたは複数のキャリアを選択するように構成された、請求項１または２に記載のユーザ機器。
【請求項５】
前記同期信号を送信するために、前記選択ユニットによって、より高い優先度を有するキャリアが選択される、請求項４に記載のユーザ機器。
【請求項６】
前記選択ユニットは、サービスとキャリアの間のマッピングに基づいて、前記同期信号を送信するための前記１つまたは複数のキャリアを選択するように構成され、前記サービスおよびキャリアマップの間の前記マッピングは、データ信号の各サービスを１つまたは複数のキャリアに対してマッピングする、請求項１または２に記載のユーザ機器。
【請求項７】
前記キャリアとサービスの間の前記マッピングは、事前構成またはネットワーク構成から取得される、請求項６に記載のユーザ機器。
【請求項８】
前記選択ユニットは、所定のリストからの情報に基づいて、前記同期信号を送信するための前記１つまたは複数のキャリアを選択するように構成される、請求項１または２に記載のユーザ機器。
【請求項９】
前記１つまたは複数の選択されたキャリアは、物理サイドリンクブロードキャストチャネル（ＰＳＢＣＨ：Physical Sidelink Broadcast Channel）送信のために使用される、請求項１から８のいずれか一項に記載のユーザ機器。
【請求項１０】
前記キャリアセットは、
キャリアアグリゲーションを行うように構成されたキャリアセット、
同期信号の送信に用いられるように構成されたキャリアセット、
サービスにマッピングされるように構成されたキャリアセット、または
ＰＳＣＣＨおよび／またはＰＳＳＣＨ送信のために選択されたキャリアセット、
のうちのいずれか１つ、またはその任意の組み合わせ、またはその任意の重畳を備える、
請求項１から９のいずれか一項に記載のユーザ機器。
【請求項１１】
キャリアセットから同期信号を受信するための１つまたは複数のキャリアを決定するように構成された決定ユニットと、
前記決定された１つまたは複数のキャリアを介して前記同期信号を受信するように構成された受信ユニットと、
を備えるユーザ機器。
【請求項１２】
前記同期信号は、サイドリンク同期信号（ＳＬＳＳ：Sidelink Synchronization Signal）である、請求項１１に記載のユーザ機器。
【請求項１３】
前記キャリアセットは、
キャリアアグリゲーションを行うように構成されたキャリアセット、
同期信号の送信に用いられるように構成されたキャリアセット、
サービスにマッピングされるように構成されたキャリアセット、または
ＰＳＣＣＨおよび／またはＰＳＳＣＨ送信のために選択されたキャリアセット、
のうちのいずれか１つ、またはその任意の組み合わせ、またはその任意の重畳を備える、
請求項１１または１２に記載のユーザ機器。
【請求項１４】
キャリアセットから同期信号を送信するための１つまたは複数のキャリアを選択するステップと、
前記同期信号を、前記選択された１つまたは複数のキャリアを介して送信するステップと、
を備えるユーザ機器を動作させるための方法。
【請求項１５】
前記同期信号は、サイドリンク同期信号（ＳＬＳＳ：Sidelink Synchronization Signal）である、請求項１４に記載の方法。
【請求項１６】
前記選択するステップは、各キャリアの優先度に基づいて、前記キャリアセットから前記同期信号を送信するための前記１つまたは複数のキャリアを選択することを備える、請求項１４または１５に記載の方法。
【請求項１７】
前記選択するステップは、サービスとキャリアの間のマッピングに基づいて、前記同期信号を送信するための前記１つまたは複数のキャリアを選択することを備えており、前記サービスおよびキャリアマップの間の前記マッピングは、データ信号の各サービスを１つまたは複数のキャリアに対してマッピングする、請求項１４または１５に記載の方法。
【請求項１８】
前記同期信号を送信するための前記１つまたは複数のキャリアは、物理サイドリンクブロードキャストチャネル（ＰＳＢＣＨ：Physical Sidelink Broadcast Channel）送信のために使用される、請求項１４から１７のいずれか一項に記載の方法。
【請求項１９】
前記キャリアセットは、
キャリアアグリゲーションを行うように構成されたキャリアセット、
同期信号の送信に用いられるように構成されたキャリアセット、
サービスにマッピングされるように構成されたキャリアセット、または
ＰＳＣＣＨおよび／またはＰＳＳＣＨ送信のために選択されたキャリアセット、
のうちのいずれか１つ、またはその任意の組み合わせ、またはその任意の重畳を備える、
請求項１４から１８のいずれか一項に記載の方法。
【請求項２０】
キャリアセットから同期信号を受信するための１つまたは複数のキャリアを決定するステップと、
前記決定された１つまたは複数のキャリアを介して前記同期信号を受信するステップと、
備えるユーザ機器を動作させるための方法。
【請求項２１】
前記同期信号は、サイドリンク同期信号（ＳＬＳＳ：Sidelink Synchronization Signal）である、請求項２０に記載の方法。
【請求項２２】
前記キャリアセットは、
キャリアアグリゲーションを行うように構成されたキャリアセット、
同期信号の送信に用いられるように構成されたキャリアセット、
サービスにマッピングされるように構成されたキャリアセット、または
ＰＳＣＣＨおよび／またはＰＳＳＣＨ送信のために選択されたキャリアセット、
のうちのいずれか１つ、またはその任意の組み合わせ、またはその任意の重畳を備える、
請求項２０または２１に記載の方法。
【発明の詳細な説明】
【技術分野】
【０００１】
本発明は、同期送信キャリアの選択に関する。
【背景技術】
【０００２】
ＩｏＴ（Internet-of-Things）および最新ならびに次世代の通信規格およびシステムの出現により、ますます多くのデバイスが、データの生成および報告、送信、共有、および／または処理のために接続されてきている。通信システムおよびパラダイムに関して、分散された、ローカルな、および独立した通信に対する強いトレンドがある。確立された通信システムの大部分は、例えば、モバイルデバイスが階層的上位基地局に通信するような、多少なりとも階層アーキテクチャに基づくものであるが、トレンドは、フラットな階層構成に向かって移行している。そのような構成では、モバイルフォン、デバイス、センサ、または一般にユーザ機器（ＵＥ）と呼ばれるようなモバイルデバイスも、基地局、アクセスポイント、（ｅ）ＮｏｄｅＢなどの、何らかの階層的に上位のエンティティの必要な関与なしに、互いに直接通信することが可能である。
【０００３】
デバイスが増加的に互いに接続されている１つのフィールドは、いわゆる車両−エブリシング（Ｖ２Ｘ）通信の分野を含んでおり、これは、車両からの情報を車両に影響を及ぼし得る任意のエンティティに渡すことを備えており、逆もまた同様である。車両−エブリシング（Ｖ２Ｘ）は、車両−インフラストラクチャ（Ｖ２Ｉ）、車両−車両（Ｖ２Ｖ）、車両−歩行者（Ｖ２Ｐ）、車両−デバイス（Ｖ２Ｄ）、または車両−グリッド（Ｖ２Ｇ）のような、より具体的なタイプの通信を含む車両通信システムである。それによって、最新のＶ２Ｘ通信はセルラーネットワークを使用し、３ＧＰＰリリース１４のロングタームエボリューション（ＬＴＥ：Long Term Evolution）などにおいて最初に定義された。これは、デバイスツーデバイス（Ｄ２Ｄ）のようないくつかのモードで動作するように設計されている。３ＧＰＰリリース１５では、Ｖ２Ｘ機能は、５Ｇ（ｅＶ２Ｘ）をサポートするように既に拡張されており、ｅＶ２Ｘは、５Ｇ（5th Generation）技術の提供を通じて促進されたＶ２Ｘ拡張版を意味している。ｅＶ２Ｘの利用態様には、車両隊列走行、自動運転、拡張センサ、遠隔運転などが含まれる。
【０００４】
セルラーネットワークと組み合わされたＶ２Ｘ通信は、車両間の直接通信（Ｖ２Ｖ／Ｄ２Ｄ）と従来のセルラーネットワークベースの通信との両方のサポートの利点をもたらし、５Ｇベースのシステムおよびサービスへの移行パスを提供する。
【０００５】
従来のセルラートラフィックでは、発展型ノードＢ（ｅＮＢ）は、制御シグナリングおよび搬送（ペイロード）データの両方のために、アップリンク（ＵＬ）およびダウンリンク（ＤＬ）を介してＵＥと通信する。この概念は、サイドリンク（ＳＬ）送信の導入を伴うＤ２Ｄ通信に拡張される。ＳＬに割り当てられたリソースは、ＵＬから、すなわち、周波数分割複信（ＦＤＤ）または時分割複信（ＴＤＤ）におけるＵＬ周波数のサブフレームから、取得され得る。
【０００６】
例えば、そのようなＳＬ送信の場合、受信ＵＥは、その受信ＵＥにおいて送信されたデータを復調するために、送信ＵＥと同期する必要があるかもしれない。送信および受信ＵＥが、例えば、受信ＵＥが追加の情報を必要とするような、異なる非同期セルである場合に、問題が発生し得る。したがって、サイドリンクプライマリ同期信号（Ｓ−ＰＳＳ：Sidelink Primary Synchronization Signal）及びサイドリンクセカンダリ同期信号（Ｓ−ＳＳＳ：Sidelink Secondary Synchronization Signal）を含むＳｉｄｅｌｉｎｋ同期信号（ＳＬＳＳ：Sidelink Synchronization Signal）は、時間及び周波数の同期のために使用されてもよい。しかしながら、デバイス（すなわち、ＵＥ）は、局所性、セルまたは他の従属エンティティへの関連付け、アクセス、および、より高次のシステムへのアクセスのための認可に関して、より多くの自由度が許容されているので、十分な同期を達成するためのメカニズムは、ますます重要になる。
【０００７】
したがって、本発明の目的は、セル及びそれらの関連する機器（例えば、基地局、ｅＮＢなど）のような他のエンティティによってなされた同期がない場合であっても、信頼できる同期のためのメカニズム、および、信頼性の高いペイロードデータの送信及び通信自体を提供することである。さらに、本発明の目的は、上述した他のエンティティがない場合でも、信頼性の高い同期したデータ通信を達成することができる対応するユーザ機器を提供することである。
【発明の概要】
【０００８】
上述の問題は、独立請求項の主題によって解決される。さらに好ましい実施形態は、従属請求項において定義される。
【０００９】
本発明の一実施形態によれば、ユーザ機器が提供され、ユーザ機器は、キャリアセットから同期信号を送信するための１つまたは複数のキャリアを選択するように構成された選択ユニットと、前記同期信号を、前記選択された１つまたは複数のキャリアを介して搬送するように構成された送信ユニットと、を備える。
【００１０】
本発明の一実施形態によれば、ユーザ機器が提供され、ユーザ機器は、キャリアセットから同期信号を受信するための１つまたは複数のキャリアを決定するように構成された決定ユニットと、前記決定された１つまたは複数のキャリアを介して前記同期信号を受信するように構成された受信ユニットと、備える。
【００１１】
本発明の一実施形態によれば、ユーザ機器を動作させるための方法が提供され、この方法は、キャリアセットから同期信号を送信するための１つまたは複数のキャリアを選択するステップと、前記同期信号を、前記選択された１つまたは複数のキャリアを介して送信するステップと、を備える。
【００１２】
本発明の一実施形態によれば、ユーザ機器を動作させるための方法が提供され、この方法は、キャリアセットから同期信号を受信するための１つまたは複数のキャリアを決定するステップと、前記決定された１つまたは複数のキャリアを介して前記同期信号を受信するステップと、備える。
【図面の簡単な説明】
【００１３】
本発明の概念をより良く理解するために提示され、本発明を限定するものとして理解されるべきではないが、ここでは、本発明の実施形態が図面を参照して説明される。
【図１】関連技術のシナリオにおけるユーザ機器（ＵＥ）の間の直接通信の概略図を示す。
【図２】本発明の一実施形態に係る、データの同期送信を使用する２つのデバイスの間のキャリアを有するシナリオの概略図を示す。
【図３Ａ】本発明の実施形態に適用可能な種々のタイプのキャリアアグリゲーションの概略図を示す。
【図３Ｂ】本発明の実施形態に適用可能な種々のタイプのキャリアアグリゲーションの概略図を示す。
【図３Ｃ】本発明の実施形態に適用可能な種々のタイプのキャリアアグリゲーションの概略図を示す。
【図４Ａ】本発明のさらなる実施形態に係る、データの同期送信を使用する２つのデバイスの間のキャリアを有するシナリオの概略図を示す。
【図４Ｂ】本発明のさらなる実施形態に係る、データの同期送信を使用する２つのデバイスの間のキャリアを有するシナリオの概略図を示す。
【図４Ｃ】本発明のさらなる実施形態に係る、データの同期送信を使用する２つのデバイスの間のキャリアを有するシナリオの概略図を示す。
【図４Ｄ】本発明のさらなる実施形態に係る、データの同期送信を使用する２つのデバイスの間のキャリアを有するシナリオの概略図を示す。
【図４Ｅ】本発明のさらなる実施形態に係る、データの同期送信を使用する２つのデバイスの間のキャリアを有するシナリオの概略図を示す。
【図５Ａ】本発明のさらなる実施形態に係る、Ｖ２Ｘ環境におけるユーザ機器を使用する利用態様の概略図を示す。
【図５Ｂ】本発明のさらなる実施形態に係る、Ｖ２Ｘ環境におけるユーザ機器を使用する利用態様の概略図を示す。
【図６】本発明の一般的な装置の実施形態の概略図を示す。
【図７Ａ】本発明の一般的な方法の実施形態のフローチャートを示す。
【図７Ｂ】本発明の一般的な方法の実施形態のフローチャートを示す。
【発明を実施するための形態】
【００１４】
図１は、関連技術のシナリオにおけるユーザ機器（ＵＥ：User Equipment）の間の直接通信の概略図を示す。したがって、携帯電話１１および１２の形態である一例として示されている２つのＵＥの構成が示されている。これらのＵＥは、−ＧＳＭ、ＰＣＳ、３ＧＰＰ、ＬＴＥ、ＬＴＥ−Ａ、ＵＭＴＳ、３Ｇ、４Ｇ、５Ｇを含むが、これらに限定されない、従来の電気通信規格のうちの１つまたは複数に沿って動作するように、処理および通信機能を備えていてもよい。これらの１つまたは複数の規格では、通信は、基地局（ＢＳ）２１（他の種類、例えばＮｏｄｅＢ、ｅＮｏｄｅＢ、ｇＮｏｄｅＢなどが、それぞれの規格、トポロジーおよびインフラストラクチャに応じて適用されてもよい）に対して、ＵＥ１１からＢＳ２１へデータを搬送するアップリンク（ＵＬ）方向５１１、およびＢＳ２１からＵＥ１１へデータを搬送するダウンリンク（ＤＬ）方向５１２に、通信が行われる。また、ＢＳ２１は、バックグラウンドネットワーク３（コアネットワーク、インターネットなど）に通信することができる。第２のＵＥ、例えば、携帯電話１２は、それぞれのＵＬおよびＤＬ５２０上の同じＢＳ２１を介して通信してもよいし、またはそれぞれのリンク上の別のＢＳ２２を介して通信してもよい（破線）。
【００１５】
いわゆる第５世代（５Ｇ）規格から始まるいくつかの電気通信環境では、ＵＥ１１およびＵＥ１２は、いわゆるサイドリンク（ＳＬ：Sidelink）４１を介して直接通信することも許可され得る。このＳＬ４１は、以下でより詳細に説明されるように、１つまたは複数の物理チャネルおよび論理チャネル、キャリアなどを備え得る。ＳＬが同期情報を搬送するか否か、または、そのような同期情報が、前述の同期情報の送信がなくても、関連したＵＥ１１及びＵＥ１２が同期して通信できると想定されて省略可能か否かに、そのようなＳＬ４１の１つの特徴がある。
【００１６】
いくつかの技術および構成において、それぞれの特性は、いくつかの境界９１に基づいて選択され、これは、２つの関与するデバイス１１、１２の間の空間距離、および／または対応する距離の結果として変化する関連付けられた測定信号強度に関連してもよい。例えば、ＵＥ１１は、空間的境界９１（境界線）によって表されるエリアの内側にあるＵＥ１２’に対してＳＬ４１’を採用し得る。この状況では、ＵＥ１２’は、例えば、ＵＥ１１と同じＢＳ２１のリーチにあると仮定することができる。例えば、ＵＥ１１およびＵＥ１２’の両方が、１つのＢＳ２１の制御下で同じセル内にあると仮定され得る。結果として、ＵＥ１１およびＵＥ１２’はともに、同期されていると仮定することができ、なぜなら、ＢＳ（例えば、ＵＬおよび／またはＤＬ）からの信号および／またはＢＳ（例えば、ＵＬおよび／またはＤＬ）への信号は、同期をすでに提供しているからである。このシナリオでは、通信（データ送信）は、ＳＬ４１’を介する追加の同期情報を必要とすることなく、ＳＬ４１’上で実行され得る。
【００１７】
一方、この特性は、ＵＥ１１およびＵＥ１２がＳＬ４１を介して通信し、ＵＥ１２が境界９１の外側にある状況に変化し得る。例えば、関与するＵＥのうちの１つが、低減された受信信号強度を感知することがあり、したがって、ＵＥ１１とＵＥ１２との間の明示的な同期の必要性を決定し得る。そのような構成では、ＳＬ４１は、１つのキャリアを介して同期信号を搬送し、同じキャリアまたは別のキャリアを介して関連するデータを搬送し得る。ここで、受信ＵＥは、正しいデータを、受信した同期信号に関連付けるように構成される。このようにして、同期を保証するために外部メカニズムが利用可能でない状況であっても、２つのＵＥの間で同期した通信を行うことができる。
【００１８】
図２は、本発明の一実施形態に係る、データの同期送信を使用する２つのデバイスの間のキャリアを有するシナリオの概略図を示す。具体的には、ＵＥ１１とＵＥ１２との間のＳＬ通信４１が示され、ここで、例えば、複数のキャリア４１１、４１２…がＵＥ１１とＵＥ１２との間に割り当てられる。ＵＥ１１は、１つまたは複数のキャリア上で同期信号を送信することが可能であり、ここで、ＵＥ１１は、キャリアセットから１つまたは複数のキャリアを選択する。この構成では、同期信号５１１は、１つまたは複数の選択されたキャリア、例えば、キャリア４１１を介して搬送される。本発明の実施形態は、同期信号を搬送するために、キャリアセットから１つまたは複数のキャリアを選択する、ＵＥの柔軟性を提供することができる。
【００１９】
一般に、同期信号５１１は、他のＵＥ、すなわち受信ＵＥをアシストして、送信ＵＥに同期させるために送信される。図２に示すように、ＵＥ１１が送信ＵＥであり、ＵＥ１２が受信ＵＥである場合、同期信号５１１は、ＵＥ１２をアシストして、ＵＥ１１に同期させるために送信される。
【００２０】
一実施形態では、キャリアセットは、サイドリンクデータ送信のために使用され、同期信号を送信するための１つまたは複数のキャリアは、キャリアセットから選択される。
【００２１】
本実施形態によれば、ＵＥ１１は、同期信号５１１を送信するために、キャリアセットから１つまたは複数のキャリアを選択する能力を有する。同期信号５１１は、キャリアセットから選択された１つのキャリアのみを介して、またはキャリアセットから選択された２つ以上のキャリアを介して、送信され得る。このようにして、本発明の実施形態は、サイドリンクデータ送信のために必要な同期信号を搬送するために、キャリアセットから１つまたは複数のキャリアを選択するＵＥの柔軟性を提供することができる。言い換えれば、本発明の一実施形態によるユーザ機器は、自分と受信ＵＥとの間の通信のために使用されるそのようなキャリアのセットから、１つのキャリアを選択し、その後、同期信号を送信するために、この選択されたキャリアを使用することが可能である。これに加えて、本発明のさらなる実施形態は、同期信号を搬送するためにキャリアセットから２つ以上のキャリアが選択された場合、同期信号５１１の送信のためのキャリアアグリゲーションを達成することができる。
【００２２】
より具体的には、帯域幅を増加させ、したがって信号送信のビットレートを増加させるために、ＦＤＤ（Frequency Division Duplex）及びＴＤＤ（Time Division Duplex）の両方に対して、キャリアアグリゲーション（Carrier Aggregation）が使用できる。キャリアアグリゲーションを実装するための１つの方法は、同じ動作周波数帯域内の連続したコンポーネントキャリア、すなわち、帯域内連続キャリアアグリゲーションを使用することであってもよい。ここで、コンポーネントキャリアとは、アグリゲートされたキャリアを意味する。連続するコンポーネントキャリアは、事業者の周波数割り当てシナリオのために実現するのが困難であることが多いため、非連続的な割り当てが使用されてもよい。非連続的な割り当ては、帯域内非連続割り当て、すなわち、コンポーネントキャリアが同じ動作周波数帯域に属するが、間にギャップを形成するか、または帯域間非連続的な割り当て、すなわちコンポーネントキャリアが異なる動作周波数帯域に属することを意味する。
【００２３】
図３Ａ、図３Ｂ、及び図３Ｃは、本発明の実施形態に適用され得る種々のタイプのキャリアアグリゲーションの概略図を示している。より具体的には、これらの図は、周波数（ｆ）空間における個々のいわゆるコンポーネントキャリアの局在を示し、図３Ａは、帯域内連続キャリアアグリゲーションを示し、図３Ｂは、帯域内非連続キャリアアグリゲーションを示し、図３Ｃは、帯域間非連続キャリアアグリゲーションを示している。３つのケースはすべて、３つのコンポーネントキャリアＣＣ１、ＣＣ２、及びＣＣ３を示し、これらは、１つの周波数帯ＦＢ１において連続的又は非連続的に配置されるか、又は２つの周波数帯ＦＢ１及びＦＢ２において非連続的に配置されている。非連続キャリアアグリゲーションの場合、コンポーネントキャリアＣＣ１、ＣＣ２、およびＣＣ３は、ギャップＧを形成し得る。例えば、図３Ｂでは、コンポーネントキャリアＣＣ２とＣＣ３との間にギャップＧがあってもよく、図３Ｃでは、コンポーネントキャリアＣＣ１とＣＣ２との間のギャップＧがあってもよい。上述のコンポーネントキャリアは、それぞれの実施形態の文脈において、本開示の他の場所でより詳細に定義および説明されるような同期信号を搬送する１つまたは複数のキャリアの可能な実現形態とすることができる。キャリアアグリゲーションは、時間（ｔ）空間としても可能であり、対応するコンポーネントキャリアは、時間空間において連続的にまたは非連続的に局在し得る。
【００２４】
本発明の一実施形態では、ＳＬ論理チャネルを意味し、且つ、ＳＬトランスポートチャネル、すなわち、ＳＬブロードキャストチャネル（ＳＬ−ＢＣＨ）に接続されるＳＬブロードキャスト制御チャネル（ＳＢＣＣＨ：SL Broadcast Control Channel）を搬送するために、同期信号を送信するための２つのキャリア４１１、４１２は、使用され得る。下層にあるＳＬ物理チャネルは、物理ＳＬブロードキャスト制御チャネル（ＰＳＢＣＨ：Physical SL Broadcast Control Channel）として定義されてもよい。キャリア４１１、４１２は、サイドリンクデータ送信のために使用されるキャリアセットから選択される。これは、ＳＬ共有チャネル（ＳＬ−ＳＣＨ：SL Shared Channel）、すなわちトランスポートチャネルに接続されてもよい。この点に関して、衝突のリスクが存在するかもしれず、これは特にｅＮＢからのリソース割り当てに依存し得ることに留意すべきである。ｅＮＢは、例えば、衝突を回避するために、異なる時間周波数リソースをＵＥに割り当ててもよい。ＳＬ−ＳＣＨは、一般に、ＳＬデータ送信のためのＳＬ物理チャネルである物理ＳＬ共有チャネル（ＰＳＳＣＨ：physical SL Shared Channel）にインターフェースしてもよい。
【００２５】
上述のように、キャリアアグリゲーションは、ＵＥ１１のようなＵＥから、ＵＥ１２のような別のＵＥへ、同期信号、すなわちＳＬＳＳを送信するために使用されてもよい。しかしながら、ＵＥの能力、すなわちＵＥ送信チェーンの制限は、キャリアアグリゲーションのためにいくつかのキャリア４１１、４１２を選択するために考慮されなければならない。ある意味では、チェーン内の全ての個々のＵＥのそれぞれの能力が考慮される必要がある。例えば、キャリアセット内の８つまでのキャリアが、ｅＶ２ＸのＳＬＳＳキャリアアグリゲーションのためにサポートされているとき、ここでは、送信ＵＥ、例えばＵＥ１１は、キャリアセットからの８個のキャリアよりも少ないキャリアしかサポートし得ない。例えば、送信ＵＥは、ＰＳＢＣＨを介してＳＬＳＳを送信するためのキャリアアグリゲーションのための４つのキャリアのみをサポートしてもよい。したがって、同期信号を送信するため、キャリアセットから１つまたは複数のキャリアを選択するように、送信ＵＥの選択ユニットを設けることができ、キャリア４１１、４１２の数は、ＵＥの能力、すなわち、ＵＥ送信チェーンの制限に依存する。同期信号を送信するためのキャリアは、ｅＶ２Ｘ通信でサポートされてもよい。
【００２６】
したがって、本発明の一実施形態では、ＵＥ１１は、キャリアセットから同期信号を送信するための１つまたは複数のキャリアを選択するように構成された選択ユニットと、１つまたは複数の選択されたキャリアを介して同期信号を搬送するように構成された送信ユニットとを備え得る。キャリアアグリゲーションのために、送信ユニットは、２以上の選択されたキャリアを介して同期信号を搬送するように構成されてもよい。送信ユニットは、送信機によって実現されてもよく、選択ユニットは、プロセッサによって実現されてもよい。
【００２７】
別の実施形態では、キャリアセットはサイドリンクデータ送信のために使用され、送信ユニットはさらに、キャリアセットの少なくとも１つのキャリアを介してデータ信号を搬送するように構成されてもよい。同期信号は、サイドリンクデータ信号を送信するために、受信ＵＥをそのＵＥに同期させることができる。
【００２８】
図４Ａから図４Ｅは、本発明のさらなる実施形態に係る、データの同期送信を使用する２つのデバイスの間のキャリアを有するシナリオの概略図を示す。具体的には、１つまたは複数のキャリアをどのように選択するかについての解決策を提供する実施形態が記載され、１つまたは複数の選択されたキャリアは、次いで、同期信号を送信するために使用され得る。したがって、本発明の実施形態は、同期信号を搬送する１つまたは複数のキャリアを選択するためのＵＥの柔軟性を提供することができる。キャリアアグリゲーションでは、同期信号を搬送するために２つ以上のキャリアが選択されてもよい。同期信号はＳＬＳＳであってもよく、選択された１つまたは複数のキャリアは、ＳＬＳＳ送信のために使用される１つまたは複数のＳＬＳＳキャリアであってもよい。ＳＬＳＳ送信のために２つ以上のキャリアが選択される場合、選択されたキャリアは、ＳＬＳＳキャリアアグリゲーションのために使用されるＳＬＳＳキャリアであってもよい。
【００２９】
図４Ａは、キャリアインデックスをそれぞれの優先度にマッピングする優先度テーブルＴが採用される実施形態を示す。一実施形態では、これは、ｅＶ２Ｘでの同期信号キャリアアグリゲーションのために８つのキャリアがサポートされる場合、インデックス０〜７を有する８つのキャリアを含み得る。
【００３０】
図４Ａの優先度テーブルＴによって図示されるように、種々のキャリアが、構成されてもよく、すなわち、異なる優先度でマッピングされてもよく、優先度の値は、サービスの優先度を示す。１つのキャリアインデックスによって示される１つのキャリアは、単一のサービスに対応する単一の優先度でマッピングされ得るか、または２つ以上のサービスに対応する２つ以上の優先度でマッピングされ得る。サービスは、データ信号のための協調認識メッセージ（ＣＡＭ：Cooperative Awareness Message）サービス、分散環境通知メッセージ、ＤＥＮＭ、サービス、センサ共有サービスなどを意味することができる。
【００３１】
例えば、インデックス０を有するキャリアは、優先度０にマッピングされ、インデックス１を有するキャリアは、優先度０および１にマッピングされ得る。このとき、優先度テーブルＴは、優先度が０の特定サービスが、インデックス０、１、及び２の複数のキャリアにマッピングされ、優先度１の他の特定サービスが、インデックス１、２及び３の複数のキャリアにマッピングされることを示す。
【００３２】
ＵＥは、ＰＳＢＣＨ上のＳＬＳＳのような同期信号を送信するために、キャリアセットからの残りのキャリアと比較して、最も高い優先度を有する１つまたは複数の特定のキャリアを選択することができる。８つのキャリアが、例えば、２つのＵＥの間で定義される場合、キャリアセットは、８つのキャリアを含み、送信ＵＥは、同期信号を搬送するための１つまたは複数のキャリアを選択する。上述のように、選択されたキャリアの数は、ＵＥの能力、すなわち、ＵＥ送信チェーンの制限に依存してもよい。同期信号を送信するための少なくとも１つのキャリアは、ＰＳＢＣＨ送信のために使用される。
【００３３】
例えば、８個までのキャリアがｅＶ２Ｘでサポートされて、キャリアセットを形成し、且つ、キャリアインデックスと優先度との間のマッピングが図４Ａに示されるようなものである場合、４つのキャリア上でＳＬＳＳのような同期信号の送信のみをサポートし得るＵＥは、キャリア当たりの優先度に基づいてキャリアを選択し得る。この場合、ＳＬＳＳのような同期信号の送信のために、キャリアインデックス０、１、２、３のキャリアが選択される。なぜなら、小さい優先度の値は、大きい優先度の値と比較して、高い優先度であることを示しているからである。これは、小さい優先度の値を有するキャリア、すなわち、より高い優先度が、ＳＬＳＳのように、同期信号を送信するためのＵＥの選択ユニットによって選択され得ることを意味する。
【００３４】
さらに、本発明のより一般的な実施形態は、同期信号を搬送するための１つまたは複数の特定のキャリアを選択するために使用される優先度のアプローチを、参照することができる。２つ以上のキャリアが選択された場合、例えばＳＬＳＳキャリアアグリゲーションのような同期信号キャリアアグリゲーションが提供されることになる。本実施形態では、キャリアアグリゲーションのために使用され得るキャリアセット内の選択されたキャリアは、複数の優先度とマッピングされてもよく、ＵＥの選択ユニットは、キャリアの優先度に基づいて、同期信号を送信するために、キャリアセットから少なくとも２つのキャリアを選択し得る。キャリアアグリゲーションが所望されない場合、２つのＵＥの間で定義されるキャリアセット内のキャリアは、複数の優先度でマッピングされ、送信ＵＥの選択ユニットは、キャリアの優先度に基づいて、同期信号を送信するためのキャリアセットから１つのキャリアを選択し得る。したがって、本発明の実施形態は、データ送信のために必要とされる同期信号を搬送するために、１つまたは複数のキャリアを選択するためのＵＥの柔軟性を提供することができる。
【００３５】
図４Ｂは、図２に関連して詳細に既に説明したのと同様のシナリオを示す（したがって、繰り返しの説明は省略される）。しかし、図４Ｂに示すシナリオでは、優先度テーブルＴ１の位置が示されている。例えば、ＵＥ１１が同期信号を送信するＵＥである場合、優先度テーブルＴ１は、優先度に基づいて１つまたは複数のキャリアを選択するためにＵＥ１１上に記憶されてもよい。別の例では、ＵＥ１２が同期信号を送信する場合、優先度テーブルＴ１は、ＵＥ１２上に記憶され得る。優先度テーブルＴ１は、図４Ａの例示的な優先度テーブルＴに等しくてもよいし、または、他の優先度テーブルマッピングキャリアインデックスを優先度の値にしてもよい。
【００３６】
したがって、本発明の一実施形態は、ＳＬＳＳ送信のような同期信号送信のために、より高い優先度（ProSe Per-Packet Priority、ＰＰＰＰ）を有するキャリアを選択することである。異なるキャリアは、異なる優先度で構成またはマッピングされ得、ここで、１つのキャリアは、単一の優先度または複数の優先度を有するように構成／マッピングされ得る。ＵＥは、ＳＬＳＳ／ＰＳＢＣＨのように、同期信号を送信するために最も高い優先度を有するキャリアを選択することができる。例えば、８つまでのキャリアがｅＶ２Ｘでサポートされてもよく、キャリアとの間のマッピングは、図４Ａの例として例示されたものであってもよい。ＵＥが、４つのキャリア上でＳＬＳＳ／ＰＳＢＣＨの送信のみをサポートすることができる場合、ＵＥは、この実施形態では、キャリア当たりの優先度に基づいてキャリアを選択することになる。この場合、ＳＬＳＳ／ＰＳＢＣＨの送信のために、キャリア０／１／２／３が選択されるべきである。なお、優先度の小さい値とは、ここでの優先度が高いことを意味する。
【００３７】
さらなる実施形態では、同期信号を送信するための少なくとも１つのキャリアの選択は、ＰＳＣＣＨおよび／またはＰＳＳＣＨが送信されるキャリアに基づいてもよい。物理チャネルＰＳＳＣＨは、詳細に上述されており、物理チャネルＰＳＣＣＨは、ＳＬ制御情報（ＳＣＩ：SL Control Information）を含む物理ＳＬ制御チャネルを意味することができる。ＳＣＩは、送信された信号を受信し、復調することができるように、受信ＵＥのために必要である。
【００３８】
図４Ｃは、図２に関連して既により詳細に説明したのと同様のシナリオを示す（したがって、繰り返しの説明は省略される）。しかしながら、図４Ｃに示すシナリオでは、物理チャネル４１０がＰＳＢＣＨを表し、物理チャネル４２０がＰＳＣＣＨまたはＰＳＳＣＨのいずれかを表す、２つの物理チャネル４１０および４２０が示されている。物理チャネル４２０がＰＳＳＣＨである場合、コンポーネントキャリアＣＣ１ａ及びＣＣ２ａは、データ信号を搬送するためのキャリア４２１であってもよい。図４Ｃに示すように、コンポーネントキャリアＣＣ１ａ及びＣＣ２ａは、周波数ｆによって識別される。ＦＤＤの代わりに、コンポーネントキャリアは、ＴＤＤを用いて選択されてもよい。
【００３９】
この実施形態においておよび図４Ｃを考慮すると、同期信号を送信するＵＥが、送信ＵＥと受信ＵＥとの間で定義されたキャリアセットにおけるすべてのキャリア上のＳＬＳＳのような同期信号の送信をサポートしない場合、例えば、ＵＥ１１のような送信ＵＥは、ＰＳＣＣＨおよび／またはＰＳＳＣＨ送信のために使用されるキャリアに基づいて、１つまたは複数のキャリアを選択し得る。１つまたは複数のキャリアの選択がＰＳＳＣＨ送信に依存する場合、１つまたは複数のキャリアの選択は、ＰＳＳＣＨを搬送するキャリア／キャリアセットに基づくことになる。１つまたは複数のキャリアの選択がＰＳＣＣＨに依存する場合、１つまたは複数のキャリアの選択は、ＰＳＣＣＨを搬送するキャリア／キャリアセットに基づき、ＰＳＣＣＨおよびＰＳＣＣＨの両方に基づいて１つまたは複数のキャリアを選択することも可能である。
【００４０】
この概念はまた、図４Ｃに例として示され、物理チャネル４１０のキャリアＣＣ１ｂおよびＣＣ２ｂ、すなわち、ＰＳＢＣＨは、コンポーネントキャリアＣＣ１ａおよびＣＣ２ａに基づいて選択され得る。すなわち、キャリアＣＣ１ｂ，ＣＣ２ｂの周波数は、コンポーネントキャリアＣＣ１ａ，ＣＣ２ａの周波数と等しくなるように選択される。ＴＤＤのためのキャリアを選択する場合にも同様の考慮が適用されるであろう。ＰＳＣＣＨまたはＰＳＳＣＨ送信のために使用されるコンポーネントキャリアのリストはまた、図４Ｃに示すように、ＵＥ１１のように、送信ＵＥ上のテーブルＴ２に記憶され得る。ＵＥ１２が送信ＵＥである場合、テーブルＴ２は、ＵＥ１２上に記憶され得る。テーブルＴ２は、例えば、ＰＳＳＣＨ／ＰＳＣＣＨを使用済みコンポーネントキャリアにマップし、すなわち、ＰＳＳＣＨをコンポーネントキャリアＣＣ１ａ及びＣＣ２ａにマップすることができる。テーブルＴ２を使用することによって、ＵＥは、対応するコンポーネントキャリアＣＣ１ｂおよびＣＣ２ｂを選択することができる。代替的に、ＰＳＣＣＨまたはＰＳＳＣＨ送信のために使用されるコンポーネントキャリアのリストは、サービス−キャリアマッピングテーブルによって決定され得る。または、ＰＳＣＣＨまたはＰＳＳＣＨ送信のために使用されるコンポーネントキャリアのリストは、チャネルビジー比（ＣＢＲ：Channel Busy Ratio）などの、キャリアのパラメータに従って選択されてもよい。
【００４１】
言い換えると、ＵＥが同期信号の送信をサポートできない場合、同期信号を送信するために定義されたキャリアセットのすべての利用可能なキャリア上でＳＬＳＳのように、ＵＥは、ＰＳＣＣＨ送信、ＰＳＳＣＨ送信、またはＰＳＣＣＨおよびＰＳＳＣＨ送信の両方のために使用されるコンポーネントキャリアに基づいて１つまたは複数のキャリアを選択することができる。例えば、８個までのキャリアがｅＶ２Ｘでサポートされるが、ＵＥは、４個以下のキャリアでの同期信号送信のみをサポートすることができる場合、ＵＥは、ＰＳＣＣＨ送信、ＰＳＳＣＨ送信、またはＰＳＣＣＨおよびＰＳＳＣＨ送信のために使用されるコンポーネントキャリアに基づいて、同期信号キャリアアグリゲーションのためにサポートされるキャリアセットから４個以下のキャリアを選択することができる。例えば、ＵＥがＰＳＣＣＨ／ＰＳＳＣＨ送信のためにコンポーネントキャリア１および３を使用する場合、ＵＥは、この実施形態では、ＰＳＢＣＨのようなＳＬＳＳのような同期信号のみを、キャリア１および３上で送信するか、またはＵＥは、セル１またはキャリア３のいずれか１つので、ＳＬＳＳのような同期信号のみを送信する。
【００４２】
したがって、別の実施形態では、同期信号送信のためのキャリアは、ＰＳＳＣＨ／ＰＳＣＣＨ送信に基づいて選択される。ＵＥが、ＳＬＳＳ／ＰＳＢＣＨのような同期信号を全てのキャリア上で送信することができない場合、ＰＳＣＣＨ／ＰＳＳＣＨ送信のために使用されることになるキャリアから同期信号を送信するためのキャリア（単数または複数）を選択することができる。例えば、８個までのキャリアがｅＶ２Ｘでサポートされ、ＵＥが４個以下のキャリアでのＳＬＳＳ／ＰＳＢＣＨ送信をサポートすることができるのみである場合、ＵＥは、ＰＳＣＣＨ／ＰＳＳＣＨ送信のために使用されるキャリアから同期信号を送信するためのキャリアを選択することができる。例えば、ＵＥがキャリア１および３上でＰＳＣＣＨ／ＰＳＳＣＨを送信する場合、本実施形態では、キャリア１および３、またはキャリア１上、またはキャリア３上でＳＬＳＳ／ＰＳＢＣＨが送信されるだけである。
【００４３】
さらなる実施形態では、ＳＬＳＳのような同期信号を送信するＵＥの選択ユニットは、サービスとキャリアの間のマッピング、すなわちキャリアサービスマッピングテーブルに基づいて、同期信号を送信するための少なくとも１つのキャリアを選択することができる。サービスとキャリアとの間のマッピングは、データ信号の各サービスを１つまたは複数のキャリアにマッピングする。ＵＥの決定ユニットは、他のデータ信号に送信すべきデータ信号のサービスを決定し、ＵＥおよびキャリアサービスマッピングテーブルを受信し、次いで、データ信号の決定されたサービスを対応するキャリアにマッピングする。データ信号のサービスは、ＣＡＭサービス、ＤＥＮＭサービス、センサ共有サービスなどであってもよい。判定ユニットは、プロセッサによって実現されてもよい。
【００４４】
サービスとキャリアとの間のマッピング、すなわちキャリアサービスマッピングテーブルは、ＵＥにおいて種々の方法で実装されることができる。例えば、サービスとキャリアの間のマッピングは、事前構成またはネットワーク構成から取得されてもよい。ネットワーク構成では、ｅＮＢは、信号情報ブロック（ＳＩＢ：Signal information block）シグナリング、無線リソース制御（ＲＲＣ：Radio Resource Control）シグナリング、または制御チャネルを通じて、サービスとキャリアとの間のマッピングを設定することができる。
【００４５】
図４Ｄは、図２に関連して既に詳細に説明したのと同様のシナリオを示す（したがって、繰り返しの説明は省略される）。しかしながら、図４Ｄに示すシナリオでは、キャリアサービスマッピングテーブルＴ３は、送信ＵＥ上に記憶され得る。この例では、ＵＥ１１は、ＳＬＳＳのような同期信号を送信することができ、その結果、キャリア−サービスマッピングテーブルＴ３は、ＵＥ１１上に記憶されることができる。ＵＥ１２が同期信号を送信する場合、それぞれのキャリア−サービステーブルＴ３は、ＵＥ１２上に記憶され得る。
【００４６】
図４Ｄの例示的なキャリアサービスマッピングテーブルＴ３を参照すると、キャリアサービスマッピングテーブルＴ３は、ＣＡＭサービスをキャリアインデックス０、１、および２にマッピングしてもよく、ＤＥＮＭサービスをキャリアインデックス１、２、および３にマッピングしてもよい。ＵＥ１１が、ＳＳ  ＩＤのような同期信号をＣＡＭサービスのために送信する場合、ＵＥ１１は、この実施形態では、ＵＥの能力、すなわち、ＵＥ送信チェーンに対する制限に応じて、キャリアインデックス０、１、または２を有する１つまたは複数のキャリアを選択することになる。すなわち、例えば、ＵＥ１１が２つのキャリア上での送信を単独でサポートする場合、ＵＥ１１は、キャリアインデックス０、１、または２のうち２つのキャリアを選択するであろう。しかしながら、ＵＥ１１が、ＳＬのような同期信号を、ＤＥＮＭサービスのために送信する場合、ＵＥ１１は、その能力、すなわち、送信チェーンのＵＥ制限に応じて、キャリアインデックス１、２、または３を有するキャリアを選択することになる。
【００４７】
したがって、さらなる実施形態では、送信されるべきデータパケットが属するサービスの種類が属するキャリアが、同期信号送信のために選択される。この点では、ある種のサービスが、いくつかのキャリアにマッピングされ得る。ＵＥが、ＳＬＳＳ／ＰＳＢＣＨのような同期信号をサポートできない場合、全てのキャリア上での送信は、以下の原理に基づいて、キャリアを選択することができる。第１に、ＵＥは、送信されるデータパケットがどの種類のサービスに属するかを決定することができる。第２に、キャリア−サービスマッピングテーブルに基づいて、ＵＥは、ＳＬＳＳ／ＰＳＢＣＨを送信するために、サービスの種類がマッピングされたキャリアを選択することができる。例えば、８つまでのキャリアがｅＶ２Ｘでサポートされており、ここで、ＣＡＭサービスは、キャリア１および２上にマッピングされ、ＤＥＮＭサービスは、キャリア３および４上にマッピングされ、センサ共有サービスは、キャリア５および６上にマッピングされてもよい。送信されるべきデータパケットがＣＡＭメッセージである場合、ＵＥは、ＳＬＳＳ／ＰＳＢＣＨ送信のためにキャリア１および２を選択するだけである。
【００４８】
別の実施形態は、所定のリストからの情報に基づいて、同期信号を送信するための少なくとも１つのキャリアの選択に対処する。選択のプロセスは、選択されたキャリアを介して、ＳＬＳＳのような同期信号を送信し得るＵＥの選択ユニットによって実行され得る。
【００４９】
例えば、Ｒｅｌ−１４の規格は、ＵＥがＶ２Ｘサービスのためにいくつかのキャリア（単数または複数）を使用し得ることを決定する。Ｒｅｌ−１４との後方互換性のために、ＵＥは、Ｒｅｌ−１４で定義されたキャリアによる同期信号送信のための少なくとも１つのキャリア上で、ＳＬＳＳのような同期信号の送信をサポートすることができる。
【００５０】
より詳細には、例えば、８つまでのキャリアがｅＶ２Ｘでサポートされ、インデックス１および２を有するキャリアがＲｅｌ−１４のＵＥによって使用されてもよい。Ｒｅｌ−１４で定義されるＵＥは、１つのキャリア上でのみ信号を送信することができるが、ＵＥが別個のキャリアに別々に同期される場合、複数のキャリア上で信号を受信することができる。
【００５１】
これとは対照的に、Ｒｅｌ−１５で定義されるＵＥは、複数のキャリア、例えば、４個以下のキャリア上のＰＳＢＣＨを介して、ＳＬＳＳのような同期信号を送信することができる。Ｒｅｌ−１５に対して後方互換性があるようにしつつ、４つのキャリアを選択できるようにするために、Ｒｅｌ−１４で定義されたＵＥは、所定のリストからの情報に基づいてキャリアを選択することができる。
【００５２】
図４Ｅは、図２に関連して詳細に既に説明したのと同様のシナリオを示す（したがって、繰り返しの説明は省略される）。しかし、図４Ｅに示すシナリオでは、所定のリストは、テーブルＴ４に記憶されてもよい。このテーブルＴ４において、Ｒｅｌ−１４のエントリは、後方互換性を可能にするために、特定のキャリアにマッピングされ得る。ＵＥ１１が、所定のキャリア上でＳＬＳＳのような同期信号を送信しているＵＥである場合に、テーブルＴ４はＵＥ１１上に記憶されてもよい。ＵＥ１２がＳＬＳＳのような同期信号を送信する場合、テーブルＴ４は、ＵＥ１２上に記憶され得る。この例示的なテーブルＴ４によれば、Ｒｅｌ−１４を有する１つのエントリがキャリアインデックス１および２にマッピングされてもよく、ＵＥ１１は、テーブルＴ４を参照し、Ｒｅｌ−１４のエントリを読み出し、ＵＥの能力、すなわち、送信チェーンのための制限に基づいて、Ｒｅ−１４との後方互換性を保証しつつ、ＳＬＳＳ送信のような同期信号送信のために、インデックス１および２を有する対応するキャリアから選択してもよい。
【００５３】
したがって、別の実施形態では、キャリアは、Ｒｅｌ−１４ＵＥによる能力に基づいて選択することができ、Ｒｅｌ−１４ＵＥは、Ｖ２Ｘサービスのためのいくつかのキャリア（単数または複数）を使用し得る。Ｒｅｌ−１４ＵＥとの後方互換性のために、複数のキャリア上で、同期信号送信、ＳＬＳＳ／ＰＳＢＣＨ送信をサポートすることができるＵＥは、Ｒｅｌ−１４キャリア上でＳＬＳＳ／ＰＳＢＣＨを送信すべきである。例えば、８つまでのキャリアがｅＶ２Ｘでサポートされ、キャリア１および２がＲｅｌ−１４ＵＥのために使用されてもよい。この点において、Ｒｅｌ−１４ＵＥは、１つのキャリア上でのみ送信することができるが、それは、別個にキャリアに同期することができる場合、複数のキャリア上で受信することができる。例えば、Ｒｅｌ−１５ＵＥが複数のキャリア上でＳＬＳＳ／ＰＳＢＣＨを送信することができる場合、例えばＵＥは、４つ以下のキャリア上でＳＬＳＳ／ＰＳＢＣＨを送信することができ、ＳＬＳＳ／ＰＳＢＣＨを送信するためにキャリア１および２のようなキャリアを選択し、Ｒｅｌ−１４との後方互換性を有する。
【００５４】
要約すると、本発明のおよび上述した少なくともいくつかの実施形態は、例えば、ＬＴＥ  ｅＶ２Ｘにおいて同期信号、例えばＳＬＳＳを搬送するために、キャリアセットから１つまたは複数のキャリアをどのように選択するかという問題に関連する。加えて、本発明の少なくともいくつかの実施形態は、例えば、ＬＴＥ  ｅＶ２Ｘにおけるようなキャリアアグリゲーション、および複数のキャリア上でどのように同期信号、例えばＳＬＳＳの同期信号が送信されるかという問題に関連して、キャリアアグリゲーションに関するものである。ＵＥは、すべてのキャリア上で同期信号を送信することが可能であり得る。しかしながら、ＵＥは、すべてのキャリア上での同期信号の送信をサポートしないことがあるので、ＵＥの能力、すなわち、ＵＥ送信チェーンの制限は考慮されなければならない。したがって、開示された実施形態は、ＵＥの能力に基づいて同期信号送信のためにキャリアセットから特定のキャリアをどのように選択するか、すなわちＵＥ送信チェーンの制限が発生したことの問題に対する解決策を提供することができる。さらに、本発明の開示された実施形態は、同期信号を搬送するための１つまたは複数のキャリアを選択するためのＵＥの柔軟性を提供することができる。
【００５５】
それによって、本開示の他の箇所で詳細に説明されたようなキャリアセットは、キャリアアグリゲーションを行うように構成されたキャリアセット、同期信号送信のために使用されるように構成されたキャリアセット、サービスにマッピングされるように構成されたキャリアセット、またはＰＳＣＣＨおよび／またはＰＳＳＣＨ送信のために選択されたキャリアセットのうちのいずれか１つ、またはそれらの任意の組合せ、または任意の重畳を含み得る。
【００５６】
図５Ａおよび図５Ｂは、本発明のさらなる実施形態に係る、Ｖ２Ｘ環境におけるＵＥ部品を使用する使用事例の概略図を示す。具体的には、示された構成は、特にＶ２Ｘアプリケーションおよびシナリオに関連する本発明の実施形態に関するものである。
【００５７】
図５Ａは、インフォテインメントシステム６１１を介してＵＥ６１２と通信し得る車両６１における、車両−デバイス（Ｖ２Ｄ）通信の例を示す。ＵＥ６１２は、例えば、車両６１と運転者との間の相互作用を簡単にし、運転体験を向上させるために、車両６１の運転者に情報を提供し得る携帯電話であってもよい。ＵＥ６１２と車両６１／インフォテインメントシステム６１１との間の同期は、ＳＬＳＳのような同期信号によって、ＰＳＢＣＨを介して実行され、同期信号を搬送するための対応する１つまたは複数のキャリアは、車両６１／インフォテインメントシステム６１１およびＵＥ６１２の能力、ならびに実施形態に関して説明されたような概念に基づいて、キャリアセットから選択され得る。
【００５８】
図５Ｂは、車両−車両（Ｖ２Ｖ）通信７１、車両−歩行者（Ｖ２Ｐ）通信７３、及び車両−インフラストラクチャ（Ｖ２Ｉ）通信７２のシナリオを示す。車両６１は、交通に対する安全性を向上させるためにＶ２Ｖ７１を介して別の車両６３と通信してもよい。車両６３は、例えば、車両６１に減速又はブレーキングに関する情報を送信して、車両６１を同時に減速又はブレーキングさせることができる。Ｖ２Ｖ通信７１を通じたこの種の情報交換は、より少ない事故および改善された安全性をもたらすことができる。車両６１と車両６３との間の同期は、ＳＬＳＳのような同期信号によって、ＰＳＢＣＨを介して実行され、同期信号を搬送するための対応する１つまたは複数のキャリアは、車両６１の能力および車両６３の能力、ならびに実施形態に関して説明されるような概念に基づいて、キャリアセットから選択され得る。
【００５９】
図５Ｂに例示されるような例示的なＶ２Ｐ通信７３は、車両６１と、歩行者のハンドヘルドデバイス６５との間であってもよい。歩行者は、Ｖ２Ｐ通信７３を介して車両６１と通信することができるように、ハンドヘルドデバイス６５を使用してもよい。ハンドヘルドデバイス６５は、例えば、車両６１と歩行者との間の事故を回避するために、歩行者の位置を車両６１に送信してもよい。車両６１とハンドヘルドデバイス６５との間の同期は、ＳＬＳＳのような同期信号によって、ＰＳＢＣＨを介して実行され、同期信号を搬送するための対応する１つまたは複数のキャリアは、車両６１の能力およびハンドヘルドデバイス６５、ならびに実施形態に関して説明されたような概念に基づいて、キャリアセットから選択され得る。
【００６０】
図５Ｂに図示されるようなさらなるＶ２Ｉ通信７２は、車両６１と交通信号機６７との間であってもよい。信号機６７は、停止信号を車両６１に送信して、車両６１を停止させるように信号を送ることができる。そうすることによって、道路事故の数が低減され、道路安全が改善され得る。車両６１と信号機６７との間の同期は、ＳＬＳＳのような同期信号によって、ＰＳＢＣＨを介して実行されてもよく、同期信号を搬送するための対応する１つまたは複数のキャリアは、車両６１の能力および信号機６７、ならびに実施形態に関して説明されるような概念に基づいて、キャリアセットから選択されてもよい。
【００６１】
図６は、本発明の一般的な装置の実施形態の概略図を示す。具体的には、ユーザ機器ＵＥ  １Ｘが示され、これは、本開示で説明されるように、ユーザ機器ＵＥのうちのいずれか１つであり得る。具体的には、それは、ＵＥ１１のような送信ＵＥ、ＵＥ１２のような受信ＵＥ、またはその機能が必要に応じて組み合わされることが可能なＵＥのような送信ＵＥであってもよい。
【００６２】
ユーザ機器１Ｘは、少なくとも処理ユニットすなわち回路１０１、メモリユニットすなわち回路１０２、および、信号を送信および／または受信することができる通信ユニットすなわち回路１０３を備えている。メモリユニットすなわち回路１０２は、１つまたは複数のキャリア上で同期信号を送信し、且つ、キャリアのうちの１つまたは複数を同期信号の送信のために選択する動作中の処理ユニットすなわち回路１０１に命令するコードを記憶しており、同期信号は１つまたは複数の選択されたキャリアを介して搬送される。同期信号は、データ信号を送信するために、受信ＵＥを１つのＵＥに同期させることができる。処理ユニットは、プロセッサによって実現されてもよく、通信ユニットは、送信機および／または受信機によって実現されてもよく、メモリユニットは、ストレージによって実現されてもよい。
【００６３】
追加または代替として、メモリユニットすなわち回路１０２は、１つまたは複数のキャリア上で同期信号を受信し、且つ、キャリアのうちの１つまたは複数を同期信号の送信のために決定する動作中の処理ユニットすなわち回路１０１に命令するコードを記憶しており、同期信号は１つまたは複数の選択されたキャリアを介して受信される。受信ＵＥは、データ信号を受信するために、同期信号によって送信ＵＥと同期され得る。
【００６４】
図７Ａは、本発明の一般的な方法の実施形態のフローチャートを示す。具体的には、処理ユニット、メモリユニット、および送信ユニットを備える、ユーザ機器ＵＥを動作させるための方法が示されている。本方法の実施形態は、キャリアセットから同期信号を送信するための１つまたは複数のキャリアを選択するステップ（Ｓ１０１）と、１つまたは複数の選択されたキャリアを介して同期信号を送信するステップ（Ｓ１０２）とを備え得る。処理ユニットは、プロセッサによって実現されてもよく、メモリユニットは、記憶装置によって実現されてもよく、送信ユニットは、送信機によって実現されてもよい。
【００６５】
図７Ｂは、本発明の一般的な方法の実施形態のフローチャートを示す。具体的には、処理ユニット、メモリユニット、および受信ユニットを備える、ユーザ機器ＵＥを動作させるための方法が示されている。本方法の実施形態は、キャリアセットから同期信号を受信するための１つまたは複数のキャリアを決定するステップ（Ｓ１１１）と、１つまたは複数の決定されたキャリアを介して同期信号を受信するステップ（Ｓ１１２）とを備え得る。処理ユニットは、プロセッサによって実現されてもよく、メモリユニットは、記憶装置によって実現されてもよく、受信ユニットは、受信機によって実現されてもよい。
【００６６】
実施形態は、デバイスツーデバイス（Ｄ２Ｄ）シナリオにおけるサイドリンク同期信号（ＳＬＳＳ）送信キャリアの分野に関するものであってもよい。具体的には、実施形態は、車両−エブリシング（Ｖ２Ｘ）シナリオにおいてＳＬＳＳ送信キャリアを選択するためのユーザ機器（ＵＥ）と、ＵＥによってＳＬＳＳ送信キャリアを選択するための関連方法とに関連してもよい。
【００６７】
詳細な実施形態が記載されているが、これらは、独立請求項によって定義される本発明のより良好な理解を提供するのに役立つだけであり、限定するものと見なされるべきではない。また、上記実施の形態では、互いに独立して説明したが、上述した実施の形態の組み合わせを用いてもよい。
【図１】
2021504997.tif 000003
【図２】
2021504997.tif 000004
【図３Ａ】
2021504997.tif 000005
【図３Ｂ】
2021504997.tif 000006
【図３Ｃ】
2021504997.tif 000007
【図４Ａ】
2021504997.tif 000008
【図４Ｂ】
2021504997.tif 000009
【図４Ｃ】
2021504997.tif 000010
【図４Ｄ】
2021504997.tif 000011
【図４Ｅ】
2021504997.tif 000012
【図５Ａ】
2021504997.tif 000013
【図５Ｂ】
2021504997.tif 000014
【図６】
2021504997.tif 000015
【図７Ａ】
2021504997.tif 000016
【図７Ｂ】
2021504997.tif 000017
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
キャリアセットから同期信号を送信するための１つまたは複数のキャリアを選択するように構成された選択ユニットと、
前記同期信号を、前記選択された１つまたは複数のキャリアを介して搬送するように構成された送信ユニットと、
を備えるユーザ機器。
【請求項２】
前記同期信号は、サイドリンク同期信号（ＳＬＳＳ：Sidelink Synchronization Signal）である、請求項１に記載のユーザ機器。
【請求項３】
前記選択ユニットは、前記ユーザ機器の能力に応じて、前記同期信号を送信するために前記キャリアセットから前記１つまたは複数のキャリアを選択する、請求項１または２に記載のユーザ機器。
【請求項４】
前記選択ユニットは、各キャリアの優先度に基づいて、前記キャリアセットから前記同期信号を送信するための前記１つまたは複数のキャリアを選択するように構成された、請求項１または２に記載のユーザ機器。
【請求項５】
前記同期信号を送信するために、前記選択ユニットによって、より高い優先度を有するキャリアが選択される、請求項４に記載のユーザ機器。
【請求項６】
前記選択ユニットは、サービスとキャリアの間のマッピングに基づいて、前記同期信号を送信するための前記１つまたは複数のキャリアを選択するように構成され、前記サービスおよびキャリアマップの間の前記マッピングは、データ信号の各サービスを１つまたは複数のキャリアに対してマッピングする、請求項１または２に記載のユーザ機器。
【請求項７】
前記キャリアとサービスの間の前記マッピングは、事前構成またはネットワーク構成から取得される、請求項６に記載のユーザ機器。
【請求項８】
前記選択ユニットは、所定のリストからの情報に基づいて、前記同期信号を送信するための前記１つまたは複数のキャリアを選択するように構成される、請求項１または２に記載のユーザ機器。
【請求項９】
前記１つまたは複数の選択されたキャリアは、物理サイドリンクブロードキャストチャネル（ＰＳＢＣＨ：Physical Sidelink Broadcast Channel）送信のために使用される、請求項１から８のいずれか一項に記載のユーザ機器。
【請求項１０】
前記キャリアセットは、
キャリアアグリゲーションを行うように構成されたキャリアセット、
同期信号の送信に用いられるように構成されたキャリアセット、
サービスにマッピングされるように構成されたキャリアセット、または
物理サイドリンク制御チャネル（ＰＳＣＣＨ：Physical Sideline Control Channel）および／または物理サイドリンク共有チャネル（ＰＳＳＣＨ：Physical Sidelink Shared Channel）送信のために選択されたキャリアセット、
のうちのいずれか１つ、またはその任意の組み合わせ、またはその任意の重畳を備える、
請求項１から９のいずれか一項に記載のユーザ機器。
【請求項１１】
キャリアセットから同期信号を送信するための１つまたは複数のキャリアを選択するステップ（Ｓ１０１）と、
前記同期信号を、前記選択された１つまたは複数のキャリアを介して送信するステップ（Ｓ１０２）と、
を備えるユーザ機器を動作させるための方法。
【請求項１２】
前記同期信号は、サイドリンク同期信号（ＳＬＳＳ：Sidelink Synchronization Signal）である、請求項１１に記載の方法。
【請求項１３】
前記選択するステップは、各キャリアの優先度に基づいて、前記キャリアセットから前記同期信号を送信するための前記１つまたは複数のキャリアを選択することを備える、請求項１１または１２に記載の方法。
【請求項１４】
前記選択するステップは、サービスとキャリアの間のマッピングに基づいて、前記同期信号を送信するための前記１つまたは複数のキャリアを選択することを備えており、前記サービスおよびキャリアマップの間の前記マッピングは、データ信号の各サービスを１つまたは複数のキャリアに対してマッピングする、請求項１１または１２に記載の方法。
【請求項１５】
キャリアセットから同期信号を受信するための１つまたは複数のキャリアを決定するステップ（Ｓ１１１）と、
前記決定された１つまたは複数のキャリアを介して前記同期信号を受信するステップ（Ｓ１１２）と、
備えるユーザ機器を動作させるための方法。
【請求項１６】
前記同期信号は、サイドリンク同期信号（ＳＬＳＳ：Sidelink Synchronization Signal）である、請求項１５に記載の方法。
【請求項１７】
前記キャリアセットは、
キャリアアグリゲーションを行うように構成されたキャリアセット、
同期信号の送信に用いられるように構成されたキャリアセット、
サービスにマッピングされるように構成されたキャリアセット、または
ＰＳＣＣＨおよび／またはＰＳＳＣＨ送信のために選択されたキャリアセット、
のうちのいずれか１つ、またはその任意の組み合わせ、またはその任意の重畳を備える、
請求項１５または１６に記載の方法。
【請求項１８】
記憶装置と、プロセッサと、送信機と、受信機とを備えるユーザ機器であって、前記プロセッサで実行された場合に、請求項１５から１７のいずれか一項に記載の方法を前記ユーザ機器に実行させる命令を、前記記憶装置が格納するように構成された、ユーザ機器。
【国際調査報告】
2021504997.tif 000018
2021504997.tif 000019